(57)【特許請求の範囲】
【請求項１】
認証印刷の許可者を識別するための第１の識別情報と、前記許可者を識別するための所定の第１の桁数を有する第２の識別情報と、を対応づけた対応表データを保持する対応表保持部と、
印刷データ及び前記第１の識別情報を有する認証印刷データを受信するデータ受信部と、
受信された前記認証印刷データを格納する印刷データ格納部と、
前記第２の識別情報を桁毎に入力するための操作パネル部と、
入力された前記第２の識別情報における前記第１の桁数以下の特定の第２の桁数以上であり、かつ前記第２の桁数以上入力された前記第２の識別情報が前記対応表データにより識別できた場合は、前記第２の識別情報の入力を終了し、入力された前記第２の桁数の前記第２の識別情報と前記対応表データとを照合して前記第１の識別情報を取得する識別情報照合部と、
取得された前記第１の識別情報に対応する前記認証印刷データを前記印刷データ格納部から読み出して印刷処理を制御する印刷制御部と、
前記印刷制御部により制御され、読み出された前記認証印刷データを記録媒体に印刷する印刷部と、
を備える画像形成装置であって、
前記識別情報照合部は、
入力された前記第２の識別情報が前記第２の桁数以上であることを検出する入力桁数検出手段と、
入力された前記第２の桁数以上の前記第２の識別情報と一致する１つの前記第２の識別情報を特定する識別情報特定手段と、
を有し、
前記識別情報特定手段は、
入力された前記第２の桁数の前記第２の識別情報と前記対応表データとを照合して、前記第２の識別情報の一部と一致する１つ又は複数の前記第２の識別情報の候補を検索して検索結果を出力する識別情報候補検索手段と、
前記検索結果において前記候補が無い場合は、前記第２の識別情報が無いことを通知し、前記候補が複数ある場合は、前記第２の識別情報の次の１桁が入力されるのを待ち、次の１桁が入力されると、次の１桁を加えた前記第２の識別情報に基づいて、前記候補が１つとなるまで、前記第２の識別情報の検索を繰り返えし、前記候補が１つとなった時点で、前記第２の識別情報の入力を禁止して、前記候補を１つに絞り込む識別情報絞り込み手段と、
を有することを特徴とする画像形成装置。
【請求項２】
認証印刷の許可者を識別するための第１の識別情報と、前記許可者を識別するための所定の第１の桁数を有する第２の識別情報と、を対応づけた対応表データを保持する対応表保持部と、
印刷データ及び前記第１の識別情報を有する認証印刷データを受信するデータ受信部と、
受信された前記認証印刷データを格納する印刷データ格納部と、
前記第２の識別情報を桁毎に入力するための操作パネル部と、
入力された前記第２の識別情報における前記第１の桁数以下の特定の第２の桁数以上であり、かつ前記第２の桁数以上入力された前記第２の識別情報が前記対応表データにより識別できた場合は、前記第２の識別情報の入力を終了し、入力された前記第２の桁数の前記第２の識別情報と前記対応表データとを照合して前記第１の識別情報を取得する識別情報照合部と、
取得された前記第１の識別情報に対応する前記認証印刷データを前記印刷データ格納部から読み出して印刷処理を制御する印刷制御部と、
前記印刷制御部により制御され、読み出された前記認証印刷データを記録媒体に印刷する印刷部と、
を備える画像形成装置であって、
前記対応表データは、更に、
前記第１の識別情報及び前記第２の識別情報に対応する第１のパスワードを有し、
前記操作パネル部は、更に、
第２のパスワードを入力するための入力部を有し、
前記識別情報照合部は、
前記入力部から入力された前記第２のパスワードが、前記対応表データに保持されている前記第１のパスワードと一致したときにのみ、前記第２の識別情報に対応する前記第１の識別情報を前記対応表データから取得することを特徴とする画像形成装置。
【請求項３】
前記識別情報照合部は、
入力された前記第２の識別情報が前記第２の桁数以上であることを検出する入力桁数検出手段と、
入力された前記第２の桁数以上の前記第２の識別情報と一致する１つの前記第２の識別情報を特定する識別情報特定手段と、
を有することを特徴とする請求項２記載の画像形成装置。
【請求項４】
請求項１記載の画像形成装置において、
前記対応表データは、更に、
前記第１の識別情報及び前記第２の識別情報に対応する第１のパスワードを有し、
前記操作パネル部は、更に、
第２のパスワードを入力するための入力部を有し、
前記識別情報照合部は、
前記入力部から入力された前記第２のパスワードが、前記対応表データに保持されている前記第１のパスワードと一致したときにのみ、前記第２の識別情報に対応する前記第１の識別情報を前記対応表データから取得することを特徴とする画像形成装置。
【請求項５】
前記操作パネル部は、
前記認証印刷を実行するための入力操作を行うための入力部と、前記入力操作を促すための案内を表示する表示部と、を有することを特徴とする請求項１〜４のいずれか１項に記載の画像形成装置。
【請求項６】
前記識別情報照合部は、
前記操作パネル部に入力された前記第２の識別情報と前記対応表データとの照合を、先頭桁から実施することを特徴とする請求項１〜５のいずれか１項に記載の画像形成装置。
【請求項７】
前記対応表保持部が保持している前記対応表データは、同一の前記第１の識別情報が唯一登録され、かつ同一の前記第２の識別情報が唯一登録されることを特徴とする請求項１〜５のいずれか１項に記載の画像形成装置。
【請求項８】
認証印刷データを生成して出力する認証印刷データ生成装置と、
前記認証印刷データを受信し、認証に成功したときに前記認証印刷データを記録媒体に印刷する請求項１〜７のいずれか１項に記載の画像形成装置と、
を備えることを特徴とする認証印刷システム。
【請求項９】
第１の桁数を有する第１の識別情報を複数保持するステップと、
前記第１の識別情報の内の前記第１の桁数より少ない第２の桁数の入力情報を受け付けるステップと、
前記入力情報を受け付けると、複数の前記第１の識別情報と前記入力情報とを比較し、前記入力情報に対応する前記第１の識別情報が複数の中から１つに決まるか否かを判断するステップと、
前記判断の結果、前記１つに決まる場合、認証を成功とするステップと、
を有することを特徴とする認証方法。
【請求項１０】
前記第２の桁数は、前記第１の桁数より少ない第３の桁数であり、該第３の桁数の入力情報を受け付けるまで、次の判断処理を行わない、
ことを特徴とする請求項９記載の認証方法。
【請求項１１】
前記判断の結果、前記１つに決まらない場合、次の桁の入力を受け付ける、
ことを特徴とする請求項９又は１０記載の認証方法。
【請求項１２】
前記第１の識別情報は、それぞれ第２の識別情報と対応づけて保持され、前記認証を成功すると、更に前記第２の識別情報の認証処理を行う、
ことを特徴とする請求項９〜１１のいずれか１項に記載の認証方法。
【請求項１３】
前記第２の識別情報は、第４の桁数を有し、
前記第２の識別情報の認証処理は、前記第４の桁数の入力情報と前記第２の識別情報との比較を行う、
ことを特徴とする請求項１２記載の認証方法。
【発明の詳細な説明】
【技術分野】
【０００１】
本発明は、機密文書等の認証印刷に適した画像形成装置、この画像形成装置を用いた認証印刷システム、及び認証方法に関するものである。
【背景技術】
【０００２】
従来、例えば、特許文献１には、認証印刷を実行する際に、ＩＣカードを使用することにより、ユーザＩＤやパスワードをキーボード入力する手間を省き、時間的に能率的な認証印刷を可能とする画像形成装置が記載されている。
【先行技術文献】
【特許文献】
【０００３】
【特許文献１】特開２００５−３３５２８２号公報
【発明の概要】
【発明が解決しようとする課題】
【０００４】
しかしながら、従来の画像形成装置では、ＩＣカードを紛失、もしくは、忘れてしまった場合、一時的に認証印刷を行うことができなくなる。又、ＰＩＮ(Personal  Identification  Number)番号を入力させることにより、個人を特定するための認証を行わせる方法がある。ＩＣカードによる個人認証は、ＩＣカード媒体読み取り装置にＩＣカードを挿入又は翳すのみで個人を特定できるため、使用者の手間が少ない。これに対して、桁数の多い数字の羅列であるＰＩＮ番号を入力することは、使用者の手間が多く、煩雑である。
【０００５】
本発明の目的は、ＩＣカードを紛失、もしくは、忘れてしまった場合、ＩＣカードと同等のセキュリティを確保しつつ、ＰＩＮ番号の入力の手間を省いた認証印刷を可能とする画像形成装置、認証印刷システム及び認証方法を提供することである。
【課題を解決するための手段】
【０００６】
本発明の画像形成装置は、認証印刷の許可者を識別するための第１の識別情報と、前記許可者を識別するための所定の第１の桁数を有する第２の識別情報と、を対応づけた対応表データを保持する対応表保持部と、印刷データ及び前記第１の識別情報を有する認証印刷データを受信するデータ受信部と、受信された前記認証印刷データを格納する印刷データ格納部と、前記第２の識別情報を桁毎に入力するための操作パネル部と、入力された前記第２の識別情報における前記第１の桁数以下の特定の第２の桁数以上であり、かつ前記第２の桁数以上入力された前記第２の識別情報が前記対応表データにより識別できた場合は、前記第２の識別情報の入力を終了し、入力された前記第２の桁数の前記第２の識別情報と前記対応表データとを照合して前記第１の識別情報を取得する識別情報照合部と、取得された前記第１の識別情報に対応する前記認証印刷データを前記印刷データ格納部から読み出して印刷処理を制御する印刷制御部と、前記印刷制御部により制御され、読み出された前記認証印刷データを記録媒体に印刷する印刷部と、を備えている。
そして、前記識別情報照合部は、入力された前記第２の識別情報が前記第２の桁数以上であることを検出する入力桁数検出手段と、入力された前記第２の桁数以上の前記第２の識別情報と一致する１つの前記第２の識別情報を特定する識別情報特定手段と、を有している。更に、前記識別情報特定手段は、入力された前記第２の桁数の前記第２の識別情報と前記対応表データとを照合して、前記第２の識別情報の一部と一致する１つ又は複数の前記第２の識別情報の候補を検索して検索結果を出力する識別情報候補検索手段と、前記検索結果において前記候補が無い場合は、前記第２の識別情報が無いことを通知し、前記候補が複数ある場合は、前記第２の識別情報の次の１桁が入力されるのを待ち、次の１桁が入力されると、次の１桁を加えた前記第２の識別情報に基づいて、前記候補が１つとなるまで、前記第２の識別情報の検索を繰り返えし、前記候補が１つとなった時点で、前記第２の識別情報の入力を禁止して、前記候補を１つに絞り込む識別情報絞り込み手段と、を有することを特徴とする。
【０００７】
本発明の認証印刷システムは、認証印刷データを生成して出力する認証印刷データ生成装置と、前記認証印刷データを受信し、認証に成功したときに前記認証印刷データを記録媒体に印刷する前記画像形成装置と、を備えることを特徴とする。
本発明の認証方法は、第１の桁数を有する第１の識別情報を複数保持するステップと、前記第１の識別情報の内の前記第１の桁数より少ない第２の桁数の入力情報を受け付けるステップと、前記入力情報を受け付けると、複数の前記第１の識別情報と前記入力情報とを比較し、前記入力情報に対応する前記第１の識別情報が複数の中から１つに決まるか否かを判断するステップと、前記判断の結果、前記１つに決まる場合、認証を成功とするステップと、を有することを特徴とする。
【発明の効果】
【０００８】
本発明の画像形成装置、認証印刷システム及び認証方法によれば、必要最小限の入力桁数のＰＩＮ番号を入力することにより、ＰＩＮ番号に対応するログオンＩＤを取得するようにしている。そのため、ＩＣカードを紛失し、若しくは、忘れた場合に、認証印刷の際、桁数の長いＰＩＮ番号を入力する手間を軽減することができる。
【図面の簡単な説明】
【０００９】
【図１】図１は本発明の実施例１における認証印刷システムの概略の構成例を示すブロック図である。
【図２】図２は図１中の認証印刷データ１２ａのフォーマットの構成例を示す図である。
【図３】図３は図１中の対応表データ１８ａの例を示す図である。
【図４】図４は図１中の識別情報照合部１９の構成の概要を示す機能ブロック図である。
【図５】図５は図１中の操作パネル部１７を示す構成図である。
【図６】図６は図１中の表示部１７ｂにおけるジョブ検索中画面７１の表示例を示す図である。
【図７】図７は図１中の表示部１７ｂにおける認証印刷ジョブなし画面７２の表示例を示す図である。
【図８】図８は図１中の表示部１７ｂにおけるオンライン画面７３の表示例を示す図である。
【図９】図９は図１中の表示部１７ｂにおけるメニュー画面７４の表示例を示す図である。
【図１０】図１０は図１中の表示部１７ｂにおけるＰＩＮ番号入力画面７５の表示例を示す図である。
【図１１】図１１は図１中の表示部１７ｂにおけるＰＩＮ番号なし画面７６の表示例を示す図である。
【図１２】図１２は図１中の表示部１７ｂにおける認証印刷確認画面７７の表示例を示す図である。
【図１３】図１３は実施例１におけるＩＣカードによる認証印刷への移行の処理を示すフローチャートである。
【図１４】図１４は実施例１におけるＰＩＮ番号入力による認証印刷への移行処理を示すフローチャートである。
【図１５】図１５は実施例１における認証印刷の処理を示すフローチャートである。
【図１６】図１６は本発明の実施例２における認証印刷システム１Ａの概略の構成例を示すブロック図である。
【図１７】図１７は図１６中の対応表データ１８ｂの例を示す図である。
【図１８】図１８は図１６中の操作パネル部１７Ａを示す構成図である。
【図１９】図１９は図１８中の表示部１７ｄにおけるパスワード入力画面７８の表示例を示す図である。
【図２０】図２０は図１８中の表示部１７ｄにおけるパスワード認証失敗画面７９の表示例を示す図である。
【図２１】図２１は図１６中の識別情報照合部１９Ａの構成の概要を示す機能ブロック図である。
【図２２】図２２は実施例２におけるＰＩＮ番号入力による認証印刷への移行の処理を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図１は、本発明の実施例１における認証印刷システムの概略の構成例を示すブロック図である。
【００１２】
本実施例１の認証印刷システ１は、画像形成装置１０と、ネットワーク等の伝送路２３を介して接続されたパーソナルコンピュータ等（以下「ＰＣ」という。）からなるクライアントＰＣ２０と、により構成されている。クライアントＰＣ２０は、プリンタドライバ２１を有している。プリンタドライバ２１は、認証印刷データ１２ａを作成し、画像形成装置１０に送信する機能を有している。
【００１３】
画像形成装置１０は、データ受信部１１、印刷データ格納部１２、印刷データ制御部１３、印刷制御部１４、印刷部１５、操作パネル制御部１６、操作パネル部１７、対応表保持部１８、識別情報照合部１９、ＩＣカード媒体情報取得部３０を搭載している。
【００１４】
データ受信部１１は、クライアントＰＣ２０から送られてくる認証印刷データ１２ａを受信し、受信した認証印刷データ１２ａを印刷データ格納部１２へ出力する機能を有している。
【００１５】
印刷データ格納部１２は、データ受信部１１から入力された認証印刷データ１２ａを記憶領域に格納すると共に、印刷データ制御部１３からの命令により、認証印刷データ１２ａを印刷データ制御部１３へ出力し、又は、認証印刷データ１２ａを削除する機能を有している。
【００１６】
印刷データ制御部１３は、印刷データ格納部１２に保持されている印刷認証データ１２ａを読み出して、読み出した認証印刷データ１２ａを印刷制御部１４へ出力する機能を有している。印刷制御部１４は、印刷データ制御部１３から入力された認証印刷データ１２ａに基づき印刷処理を制御する機能を有している。印刷部１５は、印刷制御部１４に制御されて、入力された認証印刷データ１２ａを紙等の記録媒体に印刷する機能を有している。
【００１７】
操作パネル制御部１６は、操作パネル部１７の表示部１７ｂに表示する画像のデータを生成し、画像表示の命令を操作パネル部１７へ出力する機能を有している。操作パネル部１７は、入力部１７ａと、表示部１７ｂとを有している。入力部１７ａは、例えば、タッチパネルやテンキーボタン等で構成され、画像形成装置１０に対して印刷実行の命令や認証印刷データ１２ａの削除の命令等の入力操作を行うものである。表示部１７ｂは、液晶表示器等から構成され、操作パネル制御部１６から入力される画像表示の命令に基づき画像を表示するものである。操作パネル制御部１６は、印刷データ制御部１３、操作パネル部１７、及び識別情報照合部１９より入力される情報に基づき、画面表示を行うものである。
【００１８】
対応表保持部１８は、対応表データ１８ａを保持する機能を有している。ＩＣカード媒体情報取得部３０は、ＩＣカード３１を検知し、そのＩＣカード固有のカードＩＤ３２を取得する機能を有している。
【００１９】
識別情報照合部１９は、第２の識別情報であるＰＩＮ番号５１、及びＩＣカード媒体情報取得部３０が取得した情報をもとに、対応表保持部１８に保持されている対応表データ１８ａを検索し、その結果を印刷データ制御部１３、及び操作パネル制御部１６に出力する機能を有している。
【００２０】
図２は、図１中の認証印刷データ１２ａのフォーマットの構成例を示す図である。
認証印刷データ１２ａのフォーマットは、例えば、印刷品質や印刷速度等の印刷モード４１、ジョブ名称４２、第１の識別情報である個別識別符号（以下「ログオンＩＤ」という。）４３、及び印刷データ４４とから構成される。
【００２１】
図３は、図１中の対応表データ１８ａの例を示す図である。
対応表データ１８ａは、ログオンＩＤ４３、カードＩＤ３２、及びＰＩＮ番号５１から構成されている。ログオンＩＤ４３、カードＩＤ３２及びＰＩＮ番号５１は、対応表データ１８ａ内で一意の値が設定されている。画像形成装置１０の管理者が、伝送路２３を介して対応表保持部１８に対応表データ１８ａを登録する。本実施例１においては、対応表保持部１８に対応表データ１８ａが登録済みであるとする。図３に示した例では、ログオンＩＤ４３は７桁の英数文字列の符号、カードＩＤ３２は７桁の英数文字列の符号、ＰＩＮ番号５１は１０桁の数字列の符号である。ログオンＩＤ４３及びカードＩＤ３２は、０〜９の数字とアルファベット２６文字から作成されており、数３７を桁数回掛け合わせた組合せの種類の符号が存在する。これに対して、ＰＩＮ番号５１は、０〜９の数字から作成されており、数１０を桁数回掛け合わせた組合せの種類の符号しか存在しないため、ＰＩＮ番号５１の組合せの種類を、ログオンＩＤ４３及びカードＩＤ３２の組合せの種類と同等にするため、ＰＩＮ番号５１の桁数を長くしている。一般に、ＩＣカード３１には、例えば、住所、電話番号、生年月日、及び銀行の口座番号等の個人情報が記憶されており、紛失や盗難すると、重篤な損害や被害を受ける恐れがあるため、厳重な管理が行われる。図３の対応表データ１８ａの例では、カードＩＤ３２の例として、「yotuji1」、「aokiken」、「ogawami」、「ktanaka」等の名前を連想する符号が示されている。
【００２２】
図４は、図１中の識別情報照合部１９の構成の概要を示す機能ブロック図である。
識別情報照合部１９は、入力桁数検出手段１９ａ、識別情報候補検索手段１９ｂ、識別情報候補絞り込み手段１９ｃ、及びログオンＩＤ取得手段１９ｄを有している。入力桁数検出手段１９ａは、操作パネル部１７内の入力部１７ａから入力されたＰＩＮ番号５１の桁数が特定の桁数（例えば、５桁）以上になったことを検出すると、識別情報候補検索手段１９ｂに、入力された５桁のＰＩＮ番号５１に基づいてＰＩＮ番号候補の検索命令を出力する機能を有している。
【００２３】
識別情報候補検索手段１９ｂは、入力桁数検出手段１９ａから入力された５桁のＰＩＮ番号５１に基づき対応表保持部１８内の対応表データ１８ａを参照して、例えば、先頭の５桁が一致するＰＩＮ番号５１の第２の識別情報候補を選び、識別情報絞り込み手段１９ｃへ出力する機能を有している。
【００２４】
識別情報絞り込み手段１９ｃは、ＰＩＮ番号５１の候補の数により異なる処理を行う。ＰＩＮ番号５１の候補が無い場合、識別情報絞り込み手段１９ｃは、ＰＩＮ番号５１が無いことを、操作パネル制御部１６へ通知する。ＰＩＮ番号５１の候補が複数ある場合、識別情報絞り込み手段１９ｃは、ＰＩＮ番号５１の候補が１つに絞り込まれるまで、表示部１７ｂにＰＩＮ番号５１の次の１桁の入力を促す表示をし、入力桁数検出手段１９ａ、識別情報候補検索手段１９ｂ及び識別情報絞り込み手段１９ｃの処理を繰り返し、ＰＩＮ番号５１の候補が１つに絞り込まれた時点で、入力部１７ａからのＰＩＮ番号５１の桁入力を禁止して、１つに絞り込まれたＰＩＮ番号５１をログオンＩＤ取得手段１９ｄに出力する機能を有している。
【００２５】
ログオンＩＤ取得手段１９ｄは、識別情報絞り込み手段１９ｃから入力されたＰＩＮ番号５１を第２の識別情報と特定し、この第２の識別情報と対応表保持部１８内の対応表データ１８ａとを照合して、ＰＩＮ番号５１に対応するログオンＩＤ４３を取得する機能を有している。
【００２６】
図５は、図１中の操作パネル部１７における操作キーパッドの配列を示す構成図である。
操作パネル部１７は、入力部１７ａと表示部１７ｂを有している。入力部１７ａは、テンキーボタン６１、上ボタン６２、ＯＫボタン６３、及び下ボタン６４を有している。
【００２７】
図６〜図１２は、図１中の表示部１７ｂにおける表示画面７１の表示例を示す図であり、図６は、図１中の表示部１７ｂにおけるジョブ検索中画面７１の表示例を示す図、図７は、図１中の表示部１７ｂにおける認証印刷ジョブなし画面７２の表示例を示す図、図８は、図１中の表示部１７ｂにおけるオンライン画面７３の表示例を示す図、図９は、図１中の表示部１７ｂにおけるメニュー画面７４の表示例を示す図、図１０は、図１中の表示部１７ｂにおけるＰＩＮ番号入力画面７５の表示例を示す図、図１１は、図１中の表示部１７ｂにおけるＰＩＮ番号なし画面７６の表示例を示す図、図１２は、図１中の表示部１７ｂにおける認証印刷確認画面７７の表示例を示す図である。
【００２８】
ジョブ検索中画面は、個人認証に成功し、対応表データ１８ａから取得されたログオンＩＤ４３に基づいて印刷データ格納部１２に格納された認証印刷データ１２ａを検索中であることを表示する画面である。図６に示されたジョブ検索中画面７１の表示例では、「認証印刷」及び「ジョブ検索中」の文字が表示されている。
【００２９】
認証印刷ジョブなし画面は、ログオンＩＤ４３に基づいて印刷データ格納部１２に格納された認証印刷データ１２ａを検索した結果、ログオンＩＤ４３が付された認証印刷データ１２ａがなかったことを表示する画面である。図７の認証印刷ジョブなし画面７２の表示例では、「認証印刷」及び「ジョブはありません」の文字が表示されている。
【００３０】
オンライン画面は、認証印刷の処理が終了し、画像形成装置１０が待ち受け状態であることを表示する画面であり、図８のオンライン画面７３の表示例では、「オンライン」の文字が表示されている。
【００３１】
メニュー画面は、画像形成装置１０における印刷、コピー等の各種の操作メニューを表示する画面である。図９のメニュー画面７４の表示例では、「メニュー」の文字の下に、アンダーラインを付した「ＰＩＮ番号入力印刷」の文字が表示されている。「ＰＩＮ番号入力印刷」の文字の下にアンダーラインが引かれているのは、「ＰＩＮ番号入力印刷」のメニューが選択可能であることを表示している。図９に表示されたメニュー画面７４の状態で、図５に示された操作パネル部１７のＯＫボタン６３が押されると、画像形成装置１０が「ＰＩＮ番号入力印刷」の処理を開始することを示している。
【００３２】
ＰＩＮ番号入力画面は、ＰＩＮ番号入力印刷の処理を開始し、ＰＩＮ番号の入力を受けつける画面であり、図１０のＰＩＮ番号入力画面７５の表示例では、「ＰＩＮ番号を入力してください」の文字の下に、ＰＩＮ番号入力フィールド７５ａを有している。このＰＩＮ番号入力フィールド７５ａは、図５中のテンキーボタン６１によりＰＩＮ番号５１の数字を入力することができるようになっている。
【００３３】
ＰＩＮ番号なし画面は、ＰＩＮ番号入力フィールド７５ａに入力されたＰＩＮ番号５１が識別情報対応表データ１８ａになかったことを示す画面であり、図１１のＰＩＮ番号なし画面７６では、「認証印刷」及び「入力されたＰＩＮ番号は存在しません」の文字が表示されている。
【００３４】
認証印刷確認画面は、ＰＩＮ番号入力フィールド７５ａに入力されたＰＩＮ番号５１の一部と一致するＰＩＮ番号５１が対応表データ１８ａに１つのみ存在し、このＰＩＮ番号５１に対応するログオンＩＤ４３が取得され、ログオンＩＤ４３が付された認証印刷データ１２ａが見つかった場合の画面である。図１２の認証印刷確認画面７７の表示例では、「認証印刷」及び「ジョブが見つかりました」の文字が表示され、その下に、アンダーラインを付した「印刷実行」及び「ジョブ削除」の文字が表示されている。図１２の表示例では、アンダーラインが引かれた「印刷実行」を選択可能な状態が表示されており、この状態で、図５に示された操作パネル部１７のＯＫボタン６３が押されると、画像形成装置１０が「印刷実行」の処理を開始する。図５に示された操作パネル部１７の下ボタン６４を押し、アンダーラインの位置を「印刷実行」から「ジョブ削除」へ移し、アンダーラインを付した「ジョブ削除」の文字を表示した後に、操作パネル部１７のＯＫボタン６３が押されると、画像形成装置１０が認証印刷データ１２ａを削除する。
【００３５】
（実施例１の動作）
本実施例１の認証印刷システム１において、ＩＣカード３１による認証印刷、ＰＩＮ番号入力による認証印刷、及び認証印刷の処理の（１）〜（３）動作を説明する。
【００３６】
（１）ＩＣカードによる認証印刷への移行の処理の動作
図１３は、実施例１におけるＩＣカード３１による認証印刷への移行の処理を示すフローチャートである。
【００３７】
図１、図５〜図８を参照しつつ、図１３に基づき、ＩＣカード３１による認証印刷への移行の処理の動作について説明する。
【００３８】
図１の認証印刷システム１において、ＩＣカード媒体情報取得部３０がＩＣカード３１を検知すると、ＩＣカード検知時の処理が開始され、ステップＳ１へ進む。ステップＳ１において、ＩＣカード媒体情報取得部３０は、ＩＣカード３１からカードＩＤ３２を取得し、取得したカードＩＤ３２を識別情報照合部１９に送信し、ステップＳ２へ進む。ステップＳ２において、カードＩＤ３２を受け取った識別情報照合部１９は、操作パネル制御部１６に、操作パネル部１７を介して、図６に示されたジョブ検索中画面７１を表示するように指示し、ステップＳ３へ進む。
【００３９】
ステップＳ３において、識別情報照合部１９は、ＩＣカード３１から取得したカードＩＤ３２をもとに、対応表保持部１８に格納されている対応表データ１８ａを検索し、ステップＳ４へ進む。ステップＳ４において、検索により、対応表データ１８ａのカードＩＤ３２が、ＩＣカード３１から取得したカードＩＤ３２と同一のデータが存在するかどうかを判断し、存在しない場合（Ｎ）、ステップＳ５へ進み、存在する場合（Ｙ）、ステップＳ７へ進む。
【００４０】
ステップＳ５において、識別情報照合部１９は、操作パネル制御部１６に、操作パネル部１７が、図７に示された認証印刷ジョブなし画面７２を表示するように指示し、ステップＳ６へ進む。ステップＳ６において、操作パネル部１７に認証印刷ジョブなし画面７２を表示した後、一定時間経過後、識別情報照合部１９は、操作パネル制御部１６に、操作パネル部１７に、図８に示されたオンライン画面７３を表示するように指示し、処理を終了する。
【００４１】
ステップＳ７において、対応表データ１８ａのカードＩＤ３２が、ＩＣカード３１から取得したカードＩＤ３２と同一のデータが存在する場合は、識別情報照合部１９は、前記データのログオンＩＤ４３を取得し、認証印刷の処理に移行する。
【００４２】
（２）ＰＩＮ番号入力による認証印刷への移行の処理の動作
図１４は、実施例１におけるＰＩＮ番号入力による認証印刷への移行の処理を示すフローチャートである。
【００４３】
図１、図３〜図１１を参照しつつ、図１４に基づき、実施例１のＰＩＮ番号入力による認証印刷への移行処理の動作を説明する。
【００４４】
図９に示されたメニュー画面７４において、ＰＩＮ番号入力印刷７４ａを選択し、図５に示された入力部１７ａのＯＫボタン６３が押されると、ＰＩＮ番号入力による認証印刷への移行処理を開始し、図１４のステップＳ１１へ進む。ステップＳ１１において、操作パネル制御部１６は、図１０に示されたＰＩＮ番号入力画面７５を操作パネル部１７に表示させ、ステップＳ１２へ進む。
【００４５】
ステップＳ１２において、ＰＩＮ番号入力画面７５のＰＩＮ番号入力フィールド７５ａには、入力部１７ａにあるテンキーボタン６１によって番号が入力され、５桁入力された時点で、識別情報照合部１９にＰＩＮ番号入力フィールド７５ａに入力されたＰＩＮ番号５１の先頭の５桁が通知され、ステップＳ１３へ進む。ステップＳ１２において、ＰＩＮ番号５１の先頭の５桁の「18356」が入力されると、ＰＩＮ番号５１の先頭の５桁の「18356」が識別情報照合部１９に通知される。
【００４６】
ステップＳ１３において、識別情報照合部１９は、通知されたＰＩＮ番号５１の先頭の５桁の「18356」をもとに、対応表保持部１８に格納されている対応表データ１８ａを検索し、ステップＳ１４へ進む。ステップＳ１４において、対応表データ１８ａのＰＩＮ番号５１に、通知されたＰＩＮ番号５１の先頭の５桁と一致するＰＩＮ番号５１が存在するかどうかを判断し、通知されたＰＩＮ番号５１の先頭の５桁を先頭とするＰＩＮ番号５１が複数存在する場合、ステップＳ１５へ進み、通知されたＰＩＮ番号５１の先頭の５桁を先頭とするＰＩＮ番号５１が１つのみ存在する場合、ステップＳ１６へ進み、通知されたＰＩＮ番号５１の先頭の５桁を先頭とするＰＩＮ番号が存在しない場合、ステップＳ１８へ進む。
【００４７】
ステップＳ１５において、対応表データ１８ａのＰＩＮ番号５１に、通知されたＰＩＮ番号５１の一部分を先頭とするＰＩＮ番号が複数存在する場合、次の１桁が入力されるまで待機し、次の１桁が入力されれば、ステップＳ１３へ進み、通知されたＰＩＮ番号５１の一部分を先頭とするデータが１件のみとなるまで、ステップＳ１３〜Ｓ１５の処理を繰り返し、通知されたＰＩＮ番号５１の一部分を先頭とするデータが１件だけ存在するようになった時点で、ステップＳ１６へ進む。
【００４８】
ステップＳ１２〜Ｓ１５の処理を、図３に示された対応表データ１８ａの例に基づき、具体的に説明する。
【００４９】
ＰＩＮ番号５１を「1835672094」とし、ステップＳ１２において、ＰＩＮ番号５１の先頭の５桁の「18356」が入力されると、ステップＳ１４において、通知されたＰＩＮ番号５１の先頭の５桁の数「18356」と一致するデータは、「1835672094」、「1835631094」、「1835672194」の３つが存在するので、ステップＳ１５へ進み、次の１桁の「7」が入力され、ステップＳ１３へ進む。この場合、ステップＳ１３において、識別情報照合部１９が、ＰＩＮ番号５１の先頭の６桁の「183567」と一致するデータを対応表データ１８ａから検索する。ＰＩＮ番号５１の先頭の６桁の「183567」と一致するデータは、「1835672094」、「1835672194」の２つが存在するので、ステップＳ１５へ進み、次の１桁の「2」が入力され、ステップＳ１３へ進む。この場合、ステップＳ１３において、識別情報照合部１９が、ＰＩＮ番号５１の先頭の７桁の「1835672」と一致するデータを対応表データ１８ａから検索する。ＰＩＮ番号５１の先頭の７桁の「1835672」と一致するデータは、「1835672094」の１つのみが存在するので、ステップＳ１６に進む。
【００５０】
ステップＳ１６において、通知されたＰＩＮ番号５１の一部分と先頭が一致する唯一のデータをＰＩＮ番号５１とし、このＰＩＮ番号５１に対応するログオンＩＤ３２を、対応表データ１８ａから取得し、ステップＳ１７へ進む。図１３の例では、ＰＩＮ番号５１は「1835672094」であり、このＰＩＮ番号５１の「1835672094」に対応するログオンＩＤ４３として、「ab12xz8」が取得される。
【００５１】
ステップＳ１７において、識別情報照合部１９は、操作パネル制御部１６に対して、図６に示されたジョブ検索中画面７１を、操作パネル部１７に表示するように指示し、認証印刷の処理に移行する。
【００５２】
ステップＳ１４において、ＰＩＮ番号５１の先頭の５桁の数が「18356」以外の数、例えば、「11111」、「22222」等である場合は、対応表データ１８ａに、通知されたＰＩＮ番号５１の先頭の５桁と一致するＰＩＮ番号５１が１件も存在しないので、ステップＳ１８へ進む。
【００５３】
ステップＳ１８において、識別情報照合部１９は、操作パネル制御部１６に対して、図１１に示されたＰＩＮ番号なし画面７６を、操作パネル部１７に表示するように指示し、ステップＳ１９へ進む。ステップＳ１９において、ＰＩＮ番号なし画面７６を操作パネル部１７に表示した後、一定時間経過後、識別情報照合部１９は、操作パネル制御部１６に対して、図８に示されたオンライン画面７３を操作パネル部１６に表示するように指示し、ＰＩＮ番号入力による認証印刷への移行の処理を終了する。
【００５４】
（３）実施例１の認証印刷の処理の動作
図１５は、実施例１における認証印刷の処理を示すフローチャートである。
【００５５】
図１、図５〜図８及び図１２を参照しつつ、図１５に基づき、認証印刷の処理の動作を説明する。
【００５６】
図１５において、認証印刷の処理が開始されると、ステップＳ２１へ進む。ステップＳ２１において、識別情報照合部１９は、取得したログオンＩＤ４３を印刷データ制御部１３へ出力し、印刷データ制御部１３は、識別情報照合部１９から入力されたログオンＩＤ４３を使って、印刷データ格納部１２に格納されているデータを検索し、ステップＳ２２へ進む。
【００５７】
ステップＳ２２において、識別情報照合部１９から入力されたログオンＩＤ４３が付された認証印刷データ１２ａが、印刷データ格納部１２にあるか否かが判断され、無い場合（Ｎ）、ステップＳ２３へ進み、有る場合（Ｙ）、ステップＳ２５へ進む。
【００５８】
ステップＳ２３において、印刷データ制御部１３は、操作パネル制御部１６に対して、認証印刷ジョブなし画面７２を表示するように通知し、ステップＳ２４へ進む。操作パネル部１７の表示部１７ｂは、操作パネル制御部１６からの命令に従って、図７に示されたような認証印刷ジョブなし画面７２を表示する。ステップＳ２４において、操作パネル制御部１６は、一定時間経過後に、操作パネル部１７に対して、オンライン画面７３の表示を通知し、認証印刷の処理を終了する。操作パネル部１７の表示部１７ｂは、操作パネル制御部１６からの命令に従って、図８に示されたようなオンライン画面７３を表示する。
【００５９】
ステップＳ２５において、印刷データ制御部１３は、操作パネル制御部１６に対して、認証印刷確認画面７７を表示するように通知し、ステップＳ２６へ進む。認証印刷確認画面７７の表示例が、図１２に示されている。ステップＳ２６において、「印刷実行」が選択された場合は、ステップＳ２７へ進み、「ジョブ削除」が選択された場合は、ステップＳ２８へ進む。ステップＳ２７において、「印刷実行」が選択されると、印刷データ制御部１３は、印刷データ格納部１２に格納されている認証印刷データ１２ａを読み出して印刷制御部１４に転送すると共に、印刷制御部１４に対して、認証印刷データ１２ａの印刷命令を出力し、ステップＳ２８へ進む。印刷命令を受けた印刷制御部１４は、印刷部１５を制御して、認証印刷データ１２ａを記録媒体へ印刷する。
【００６０】
ステップＳ２８において、「ジョブ削除」が選択された場合又は認証印刷が実行された後、印刷データ制御部１３は、印刷データ格納部１２に格納されている認証印刷データ１２ａを削除し、ステップＳ２９に進む。ステップＳ２９において、印刷データ格納部１２に格納されていた認証印刷データ１２ａが削除されると、印刷データ制御部１３は、操作パネル制御部１６を介して、操作パネル１７の表示部１７ｂに、図８に示されたようなオンライン画面７３を表示させ、認証印刷の処理を終了する。
【００６１】
（実施例１の効果）
本実施例１によれば、必要最小限の桁を入力することにより、ＰＩＮ番号５１を特定し、特定したＰＩＮ番号５１に対応するログオンＩＤ４３を取得するようにしている。これにより、ＩＣカード３１を紛失、もしくは、忘れてしまった場合、必要最小限のＰＩＮ番号５１を入力することにより、認証印刷を実施できるので、ＰＩＮ番号５１を入力する手間を省くことができる。
【実施例２】
【００６２】
（実施例２の構成）
図１６は、本発明の実施例２における認証印刷システム１Ａの概略の構成例を示すブロック図であり、実施例１を示す図１中の要素と共通の要素には共通の符号が付されている。
【００６３】
本実施例２の認証印刷システム１Ａは、実施例１の画像形成装置１０とは構成が異なる画像形成装置１０Ａを有し、これが実施例１と同様の伝送路２３を介して、実施例１と同様のクライアントＰＣ２０と接続されている。
【００６４】
本実施例２の画像形成装置１０Ａは、実施例１の操作パネル部１７、対応表保持部１８、及び識別情報照合部１９に代えて、これらとは構成が異なる操作パネル部１７Ａ、対応表保持部１８Ａ、及び識別情報照合部１９Ａを備えている。操作パネル部１７Ａは、実施例１の操作パネル部１７の入力部１７ａ及び表示部１７ｂに代えて、実施例１とは構成の異なる入力部１７ｃ及び表示部１７ｄを有している。本実施例２の入力部１７ｃは、実施例１の入力部１７ａに、アルファベット２６文字等を入力する英文字入力ボタン６５が追加されている。本実施例２の表示部１７ｄには、実施例１の表示部１７ｂの表示画面に、パスワード認証の処理に関する２つの表示画面が追加されている。
【００６５】
対応表保持部１８Ａは、実施例１の識別情報対応表データ１８ａに代えて、パスワード５２が追加された対応表データ１８ｂを格納している。識別情報照合部１９Ａは、実施例１の識別情報照合部１９に対して、入力されたパスワード５２を使って、対応表データ１８ｂを検索し、入力されたパスワード５２があるか否かを判定する機能が追加されたものである。その他の構成については、実施例１の図１の構成と同じである。
【００６６】
図１７は、図１６中の対応表データ１８ｂの例を示す図であり、実施例１を示す図３中の要素と共通の要素には共通の符号が付されている。
【００６７】
対応表データ１８ｂは、ログオンＩＤ４３、カードＩＤ３２、及びＰＩＮ番号５１の列を有する実施例１と同様の対応表データ１８ａに、パスワード５２の列が追加されている。パスワード５２は、個人認証のための符号であり、一般に、他人には推測され難く、かつ自分は忘れない英数字の配列が選択される。過去に所属していたクラブの名称、例えば、「suiei」、「tenis」、「yakyu」、「judob」を、パスワード５２とした例が図１７に示されている。
【００６８】
図１８は、図１６中の操作パネル部１７Ａを示す構成図であり、実施例１を示す図５中の要素と共通の要素には共通の符号が付されている。
【００６９】
本実施例２の操作パネル部１７Ａの入力部１７ｃは、実施例１と同様のテンキーボタン６１、上ボタン６２、ＯＫボタン６３及び下ボタン６４に、アルファベット２６文字等を入力する英文字入力ボタン６５が追加されている。
【００７０】
図１９は、図１８中の表示部１７ｄにおけるパスワード入力画面７８の表示例を示す図である。
【００７１】
パスワード入力画面は、パスワード５２の入力を促す画面であり、図１９のパスワード入力画面７８の表示例では、「パスワードを入力してください」の文字の下に、パスワード入力フィールド７８ａを有している。このパスワード入力フィールド７８ａには、図１８中のテンキーボタン６１及び英文字入力ボタン６５によりパスワード５２の英数字を入力することができるようになっている。
【００７２】
図２０は、図１８中の表示部１７ｄにおけるパスワード認証失敗画面７９の表示例を示す図である。
【００７３】
パスワード認証失敗画面は、入力されたパスワード５２が対応表データ１８ｂ中になかった場合の表示部１７ｄの表示画面であり、図２０に示されたスワード認証失敗画面７９の例では、「認証印刷」及び「認証に失敗しました」の文字が表示されている。
【００７４】
図２１は、図１６中の識別情報照合部１９Ａの構成の概要を示す機能ブロック図であり、実施例１を示す図４中の要素と共通の要素には共通の符号が付されている。
【００７５】
本実施例２の識別情報照合部１９Ａは、図４に示された実施例１の識別情報照合部１９に、パスワード照合手段１９ｅが追加されている。パスワード照合手段１９ｅは、対応表データ１８ｂ内の通知されたＰＩＮ番号５１に対応するパスワード５２と、入力されたパスワード５２とを照合して一致するか否かを判定し、一致する場合にのみ、ログオンＩＤ取得手段１９ｄにより取得されたログオンＩＤ４３を印刷データ制御部１３へ出力する機能を有している。その他の構成については、実施例１の図４の構成と同じである。
【００７６】
（実施例２の動作）
本実施例２のＩＣカード３１による認証印刷への移行の処理の動作は、図１３に示された実施例１のＩＣカード３１による認証印刷への移行の処理の動作と同様である。
【００７７】
図２２は、実施例２におけるＰＩＮ番号入力による認証印刷への移行の処理を示すフローチャートであり、実施例１を示す図１４中の要素と共通の要素には共通の符号が付されている。
【００７８】
図６〜図１２、及び図１６〜図２１を参照しつつ、図２２に基づき、実施例２のＰＩＮ番号入力による認証印刷への移行処理の動作を説明する。
【００７９】
本実施例２のＰＩＮ番号入力による認証印刷への移行処理では、実施例１のＰＩＮ番号入力による認証印刷への移行処理と同様のステップＳ１１〜Ｓ１９の処理に、パスワード入力による認証の処理であるステップＳ３１〜Ｓ３６の処理が追加されている。
【００８０】
図９に示されたメニュー画面７４において、ＰＩＮ番号入力印刷７４ａが選択され、図１８に示された入力部１７ｃのＯＫボタン６３が押されると、ＰＩＮ番号入力による認証印刷への移行処理を開始し、図２２のステップＳ１１へ進む。ステップＳ１１〜Ｓ１５では、実施例１と同様の処理が行われる。
【００８１】
ステップＳ１４において、対応表データ１８ｂのＰＩＮ番号５１に、通知されたＰＩＮ番号５１の一部分を先頭とするデータが存在するかどうかを判断し、通知されたＰＩＮ番号５１の一部分を先頭とするデータが複数存在する場合、ステップＳ１５へ進み、通知されたＰＩＮ番号５１の一部分を先頭とするデータが１つ存在する場合、ステップＳ３１へ進み、通知されたＰＩＮ番号５１の一部分を先頭とするデータが存在しない場合、ステップＳ１８へ進む。
【００８２】
通知されたＰＩＮ番号５１の一部分を先頭とするデータが存在しない場合は、実施例１と同様に、ステップＳ１８及びステップＳ１９の処理後、ＰＩＮ番号入力による認証印刷への移行処理を終了する。
【００８３】
通知されたＰＩＮ番号５１の一部分を先頭とするデータが１つ存在する場合、実施例１と異なるステップＳ３１へ進む。ステップＳ３１において、操作パネル制御部１６が、表示部１７ｄに図１９に示されたようなパスワード入力画面７８を表示し、ステップＳ３２へ進む。ステップＳ３２において、パスワード５２が、図１８に示されたテンキーボタン６１及び英文字入力ボタン６５により入力され、ＯＫボタン６３が押されると、入力されたパスワード５２を識別情報照合部１９Ａへ出力し、ステップＳ３３へ進む。ステップＳ３３において、識別情報照合部１９Ａは、入力されたＰＩＮ番号５１に対応するパスワード５２と入力されたパスワードとを照合し、ステップＳ３４へ進む。ステップＳ３４において、識別情報照合部１９Ａは、入力されたＰＩＮ番号５１に対応するパスワード５２ａと入力されたパスワード５２ｂとが一致するか否かを判定し、一致する場合（Ｙ）、ステップＳ１６へ進み、一致しない場合（Ｎ）、ステップＳ３５へ進む。
【００８４】
ステップＳ３１〜Ｓ３４の処理について、図１７に示された対応表データ１８ｂの例により、具体的に説明する。先ず、ステップＳ１４の処理で、入力されたＰＩＮ番号５１の一部の先頭桁と一致するＰＩＮ番号５１が、例えば、図１７の２行目に表示されたＰＩＮ番号５１であるとする。この場合に、２行目のＰＩＮ番号５１の「1835631094」に対応するパスワード５２は、「tenis」である。この場合、入力されたパスワード５２が「tenis」である場合は、パスワード５２が一致するので、ステップＳ１６へ進み、入力されたパスワード５２が「suiei」である場合は、パスワード５２が一致しないので、ステップＳ３５へ進む。
【００８５】
通知されたＰＩＮ番号５１に対応するパスワード５２と入力されたパスワード５２と、が一致したと判定された場合は、実施例１と同様のステップＳ１６及びＳ１７の処理が行われ、認証印刷の処理に移行する。
【００８６】
ステップＳ３５において、通知されたＰＩＮ番号５１に対応するパスワード５２と、入力されたパスワード５２と、が一致しないと判定された場合、操作パネル制御部１６が、操作パネル部１７Ａの表示部１７ｄに、図２０に示されたようなパスワード認証失敗画面７９を表示させ、ステップＳ３６へ進む。ステップ３６において、操作パネル制御部１６が、一定時間経過後に、操作パネル部１７Ａの表示部１７ｄに、図８に示されたようなオンライン画面７３を表示させ、認証印刷の処理を終了する。
【００８７】
本実施例２における認証印刷の処理の動作は、図１５に示された実施例１の認証印刷の処理の動作と同じである。
【００８８】
（実施例２の効果）
本実施例２によれば、通知されたＰＩＮ番号５１に対応するパスワード５１と入力されたパスワード５２と、が一致する場合のみ、ログオンＩＤ４３を取得し、認証印刷の処理に移行するようにしている。これにより、ＩＣカード３１を紛失し、若しくは、忘れた場合のＰＩＮ番号５１の入力の手間を省くことができるという実施例１の効果に加え、なりすまし等の不正な認証印刷に対するセキュリティを高めた認証印刷が可能な画像形成装置１０Ａ及び認証印刷システム１Ａを提供することができる。
【００８９】
（変形例）
本発明は、上記実施例１、２に限定されず、種々の利用形態や変形例が可能である。この利用形態や変形例として、例えば、次の（ａ）〜（ｅ）のようなものがある。
【００９０】
（ａ）  実施例１、２では、対応表保持部１８，１８Ａが保持する対応表データ１８ａ，１８ｂのログオンＩＤ４３及びカードＩＤ３２は英数字７桁、ＰＩＮ番号５１は数字１０桁として説明したが、ログオンＩＤ４３、カードＩＤ３２及びＰＩＮ番号５１の文字の種類及び桁数は、これらに限定されない。認証印刷におけるセキュリティの３要素、機密性、完全性、及び可用性を考慮して、これらの文字の種類及び桁数を変更して実施することができる。
【００９１】
（ｂ）  実施例１、２では、ＰＩＮ番号５１の桁数を１０桁とし、入力桁数検出手段１９ａの検出桁数を５桁として説明したが、認証印刷におけるセキュリティの３要素、機密性、完全性、及び可用性を考慮して、ＰＩＮ番号５１の桁数及び入力桁数検出手段１９ａの検出桁数を変更して実施することができる。
【００９２】
（ｃ）  実施例１、２では、印刷データについては特に言及しなかったが、機密性が高い印刷データの場合は、印刷データを暗号化しても良い。この場合は、認証印刷を実行する前に、暗号化された印刷データを複合化する処理を追加する必要がある。これにより、認証印刷の機密性を更に高めることができる。
【００９３】
（ｄ）  実施例２では、ＰＩＮ番号入力による認証印刷の移行の処理においてのみ、パスワード入力による認証の処理が追加された例を説明したが、パスワード入力による認証の処理の追加は、ＰＩＮ番号入力による認証印刷の移行の処理に限定されない。ＩＣカード３１による認証印刷への移行の処理に、パスワード入力による認証の処理を追加しても良い。これにより、ＩＣカード３１の盗難や偽造による不正の認証印刷に対するセキュリティを高めることができる。
【００９４】
（ｅ）  実施例１、２では、認証印刷に適した画像形成装置１０，１０Ａについて説明したが、本発明の構成及び動作は、画像形成装置に限定されない。個人認証のために、ＰＩＮ番号５１等の長桁の識別番号を入力させる機能を有する情報処理装置全般に適用が可能である。
【符号の説明】
【００９５】
１，１Ａ        認証印刷システム
１０，１０Ａ        画像形成装置
１１        データ受信部
１２        印刷データ格納部
１２ａ        認証印刷データ
１３        印刷データ制御部
１４        印刷制御部
１５        印刷部
１６        操作パネル制御部
１７，１７Ａ        操作パネル部
１７ａ，１７ｃ        入力部
１７ｂ，１７ｄ        表示部
１８，１８Ａ        対応表保持部
１８ａ，１８ｂ        対応表データ
１９，１９Ａ        識別情報照合部
２０        クライアントＰＣ
２１        プリンタドライバ
２３        伝送路
３０        ＩＣカード媒体情報取得部
３１        ＩＣカード
３２        カードＩＤ３２
６１        テンキーボタン
６２        上ボタン
６３        ＯＫボタン
６４        下ボタン
６５        英文字入力ボタン
【図１】
0005789186.tif 000002
【図２】
0005789186.tif 000003
【図３】
0005789186.tif 000004
【図４】
0005789186.tif 000005
【図５】
0005789186.tif 000006
【図６】
0005789186.tif 000007
【図７】
0005789186.tif 000008
【図８】
0005789186.tif 000009
【図９】
0005789186.tif 000010
【図１０】
0005789186.tif 000011
【図１１】
0005789186.tif 000012
【図１２】
0005789186.tif 000013
【図１３】
0005789186.tif 000014
【図１４】
0005789186.tif 000015
【図１５】
0005789186.tif 000016
【図１６】
0005789186.tif 000017
【図１７】
0005789186.tif 000018
【図１８】
0005789186.tif 000019
【図１９】
0005789186.tif 000020
【図２０】
0005789186.tif 000021
【図２１】
0005789186.tif 000022
【図２２】
0005789186.tif 000023